(57)【要約】      （修正有）【課題】リラックスして愉快な環境を作り出すことができる多機能音響キャビネット用照明装置を提供する。【解決手段】多機能音響キャビネット照明器具は、外カバー、音響装置２０及びランプ装置３０を備える。音響装置及びランプ装置は、外カバー内にそれぞれ取り付けられる。外カバーは、メインハウジング１１と、メインハウジング上に取り付けられた頂蓋１２とを有する。頂蓋及びメインハウジングは、収容空間を取り囲んで形成する。音響装置及びランプ装置は、収容空間内に取り付けられる。メインハウジングの外側面上には、複数の出音孔が形成される。出音孔の外側には、出音網板１１２が設けられる。出音孔の内側には、分離プレートが配設され、分離プレートとメインハウジングの内側面とにより取り囲んでガイド槽が形成される。【選択図】図３
0003226618.tif 000002
【実用新案登録請求の範囲】
【請求項１】
外カバー、音響装置及びランプ装置を備えた、多機能音響キャビネット用照明装置であって、
前記音響装置及び前記ランプ装置は、前記外カバー内にそれぞれ取り付けられ、前記外カバーは、メインハウジングと、前記メインハウジング上に取り付けられた頂蓋と、を有し、前記頂蓋及び前記メインハウジングは、収容空間を取り囲んで形成し、前記音響装置及び前記ランプ装置は、前記収容空間内に取り付けられ、
前記メインハウジングの外側面上には、複数の出音孔が形成され、前記出音孔の外側には、出音網板が設けられ、前記出音孔の内側には、分離プレートが配設され、前記分離プレートと前記メインハウジングの内側面とにより取り囲んでガイド槽が形成され、前記ガイド槽は、前記出音網板を介して外界と連通し、
前記出音網板は、左右両側に係合片群が設けられ、上下両側に取付けブロックが設けられ、２つの前記係合片群及び下側の前記取付けブロックは、前記分離プレート内に係合され、上側の前記取付けブロックと前記分離プレートの上表面とは間隔をおいて設けられ、
前記ランプ装置の頂面高さは、前記分離プレートの頂面の高さと同じであるか、前記分離プレートの頂面より低いことを特徴とする、多機能音響キャビネット用照明装置。
【請求項２】
前記分離プレートの頂面及び前記出音孔の内側縁が間隔をおいて設置され、前記分離プレートの両側には、係止孔群がそれぞれ設けられ、前記分離プレートの底部には、長孔が形成され、
前記係合片群は、前記係止孔群内にそれぞれ係合され、前記出音網板の下側の前記取付けブロックは、前記長孔内に係合されることを特徴とする請求項１に記載の多機能音響キャビネット用照明装置。
【請求項３】
前記メインハウジングの底面の上述した前記ランプ装置に対応した位置には、出光板が配設され、
前記ランプ装置の光は、前記出光板を透過することを特徴とする請求項１に記載の多機能音響キャビネット用照明装置。
【請求項４】
前記メインハウジング内には、ランプ槽及び音響槽が形成され、
前記ランプ装置は、前記ランプ槽内に取り付けられ、
前記音響装置は、前記音響槽内に取り付けられ、前記ランプ槽と前記音響槽とは貫通槽を介して連通することを特徴とする請求項１に記載の多機能音響キャビネット用照明装置。
【請求項５】
前記ランプ装置は、ライト基板と、前記ライト基板の底面に取り付けられた複数の電球と、を有し、
前記ライト基板は、前記ランプ槽内に配設され、前記ライト基板の頂面高さは、前記分離プレートの頂面の高さと同じであるか、前記分離プレートの頂面より低いことを特徴とする請求項１に記載の多機能音響キャビネット用照明装置。
【請求項６】
ランプ槽の側壁上には、前記ガイド槽と連通した複数の接続槽が形成され、
前記接続槽は、前記出音網板に対応した以外の他の箇所に形成されることを特徴とする請求項１に記載の多機能音響キャビネット用照明装置。
【請求項７】
音響槽の外側壁上には、音響スイッチが設けられ、
前記音響スイッチは、導線を介して前記音響装置に接続され、
前記音響スイッチは、前記音響装置のオン及びオフを制御することを特徴とする請求項１に記載の多機能音響キャビネット用照明装置。
【請求項８】
制御端末をさらに備え、
前記制御端末は、前記音響装置及び前記ランプ装置に信号接続されるとともに、前記ランプ装置の明るさ、オン・オフ及び前記音響装置のオン・オフ、音量の大きさを調整し、音声信号を切換えることを特徴とする請求項１に記載の多機能音響キャビネット用照明装置。
【請求項９】
前記制御端末は携帯電話のアプリであることを特徴とする請求項８に記載の多機能音響キャビネット用照明装置。
【考案の詳細な説明】
【技術分野】
【０００１】
本考案は、照明装置に関するものであり、さらに詳しくは、多機能音響キャビネット用照明装置に関するものである。
【背景技術】
【０００２】
キャビネット用ＬＥＤ照明器具は、一般にキッチン、作業台、洋服ダンス、商品棚などに取り付けられ、照明作用が得られるだけでなく、照明器具の光によりリラックスした雰囲気を一定程度作り出すことができる。しかし、科学技術の発展に伴い、人々の生活レベルは向上し、家事、料理を行うときにもリラックスして楽しい環境を求める要求も高まり、照明器具の光量を調整することしかできないキャビネット用ＬＥＤ照明器具では人々が求めるニーズを満たすことができず、新しいタイプの多機能音響キャビネット用照明装置が求められていた。
【考案の概要】
【考案が解決しようとする課題】
【０００３】
従って、本考案の課題は、機能が単一で、面白みが無く、リラックスして愉快な環境を作り出すことができなかった従来技術の問題を改善することが可能な多機能音響キャビネット用照明装置を提供することにある。
【課題を解決するための手段】
【０００４】
そこで、本考案者は、前記の課題を解決するため鋭意検討を重ねた結果、後述のように、音響装置とランプ装置を特定の構成において、組み合せることにより、前記課題を解決できることに着目し、かかる知見に基いて本考案に想到するに至ったものである。
すなわち、上記課題を解決するために、本考案の第１の形態によれば、外カバー、音響装置及びランプ装置を備えた、多機能音響キャビネット用照明装置であって、前記音響装置及び前記ランプ装置は、前記外カバー内にそれぞれ取り付けられ、前記外カバーは、メインハウジングと、前記メインハウジング上に取り付けられた頂蓋と、を有し、前記頂蓋及び前記メインハウジングは、収容空間を取り囲んで形成し、前記音響装置及び前記ランプ装置は、前記収容空間内に取り付けられ、前記メインハウジングの外側面上には、複数の出音孔が形成され、前記出音孔の外側には、出音網板が設けられ、前記出音孔の内側には、分離プレートが配設され、前記分離プレートと前記メインハウジングの内側面とにより取り囲んでガイド槽が形成され、前記ガイド槽は、前記出音網板を介して外界と連通し、前記出音網板は、左右両側に係合片群が設けられ、上下両側に取付けブロックが設けられ、２つの前記係合片群及び下側の前記取付けブロックは、前記分離プレート内に係合され、上側の前記取付けブロックと前記分離プレートの上表面とは間隔をおいて設けられ、前記ランプ装置の頂面高さは、前記分離プレートの頂面の高さと同じであるか、前記分離プレートの頂面より低いことを特徴とする、多機能音響キャビネット用照明装置を提供することができる。
【０００５】
前記分離プレートの頂面及び前記出音孔の内側縁が間隔をおいて設置され、前記分離プレートの両側には、係止孔群がそれぞれ設けられ、前記分離プレートの底部には、長孔が形成され、前記係合片群は、前記係止孔群内にそれぞれ係合され、前記出音網板の下側の前記取付けブロックは、前記長孔内に係合されることが好ましい。
【０００６】
前記メインハウジングの底面の上述した前記ランプ装置に対応した位置には、出光板が配設され、前記ランプ装置の光は、前記出光板を透過することが好ましい。
【０００７】
前記メインハウジング内には、ランプ槽及び音響槽が形成され、前記ランプ装置は、前記ランプ槽内に取り付けられ、前記音響装置は、前記音響槽内に取り付けられ、前記ランプ槽と前記音響槽とは貫通槽を介して連通することが好ましい。
【０００８】
前記ランプ装置は、ライト基板と、前記ライト基板の底面に取り付けられた複数の電球と、を有し、前記ライト基板は、前記ランプ槽内に配設され、前記ライト基板の頂面高さは、前記分離プレートの頂面の高さと同じであるか、前記分離プレートの頂面より低いことが好ましい。
【０００９】
ランプ槽の側壁上には、前記ガイド槽と連通した複数の接続槽が形成され、前記接続槽は、前記出音網板に対応した以外の他の箇所に形成されることが好ましい。
【００１０】
音響槽の外側壁上には、音響スイッチが設けられ、前記音響スイッチは、導線を介して前記音響装置に接続され、前記音響スイッチは、前記音響装置のオン及びオフを制御することが好ましい。
【００１１】
制御端末をさらに備え、前記制御端末は、前記音響装置及び前記ランプ装置に信号接続されるとともに、前記ランプ装置の明るさ、オン・オフ及び前記音響装置のオン・オフ、音量の大きさを調整し、音声信号を切換えることが好ましい。
【００１２】
前記制御端末は携帯電話のアプリであることが好ましい。
【００１３】
かくして、本考案の要旨は次の（１）〜（９）に記載の通りのものである。
（１）外カバー、音響装置及びランプ装置を備えた、多機能音響キャビネット用照明装置であって、
前記音響装置及び前記ランプ装置は、前記外カバー内にそれぞれ取り付けられ、前記外カバーは、メインハウジングと、前記メインハウジング上に取り付けられた頂蓋と、を有し、前記頂蓋及び前記メインハウジングは、収容空間を取り囲んで形成し、前記音響装置及び前記ランプ装置は、前記収容空間内に取り付けられ、
前記メインハウジングの外側面上には、複数の出音孔が形成され、前記出音孔の外側には、出音網板が設けられ、前記出音孔の内側には、分離プレートが配設され、前記分離プレートと前記メインハウジングの内側面とにより取り囲んでガイド槽が形成され、前記ガイド槽は、前記出音網板を介して外界と連通し、
前記出音網板は、左右両側に係合片群が設けられ、上下両側に取付けブロックが設けられ、２つの前記係合片群及び下側の前記取付けブロックは、前記分離プレート内に係合され、上側の前記取付けブロックと前記分離プレートの上表面とは間隔をおいて設けられ、
前記ランプ装置の頂面高さは、前記分離プレートの頂面の高さと同じであるか、前記分離プレートの頂面より低いことを特徴とする、多機能音響キャビネット用照明装置。
【００１４】
（２）前記分離プレートの頂面及び前記出音孔の内側縁が間隔をおいて設置され、前記分離プレートの両側には、係止孔群がそれぞれ設けられ、前記分離プレートの底部には、長孔が形成され、
前記係合片群は、前記係止孔群内にそれぞれ係合され、前記出音網板の下側の前記取付けブロックは、前記長孔内に係合されることを特徴とする前記（１）に記載の多機能音響キャビネット用照明装置。
【００１５】
（３）前記メインハウジングの底面の上述した前記ランプ装置に対応した位置には、出光板が配設され、
前記ランプ装置の光は、前記出光板を透過することを特徴とする前記（１）に記載の多機能音響キャビネット用照明装置。
【００１６】
（４）前記メインハウジング内には、ランプ槽及び音響槽が形成され、
前記ランプ装置は、前記ランプ槽内に取り付けられ、
前記音響装置は、前記音響槽内に取り付けられ、前記ランプ槽と前記音響槽とは貫通槽を介して連通することを特徴とする前記（１）に記載の多機能音響キャビネット用照明装置。
【００１７】
（５）前記ランプ装置は、ライト基板と、前記ライト基板の底面に取り付けられた複数の電球と、を有し、
前記ライト基板は、前記ランプ槽内に配設され、前記ライト基板の頂面高さは、前記分離プレートの頂面の高さと同じであるか、前記分離プレートの頂面より低いことを特徴とする前記（１）に記載の多機能音響キャビネット用照明装置。
【００１８】
（６）ランプ槽の側壁上には、前記ガイド槽と連通した複数の接続槽が形成され、
前記接続槽は、前記出音網板に対応した以外の他の箇所に形成されることを特徴とする前記（１）に記載の多機能音響キャビネット用照明装置。
【００１９】
（７）音響槽の外側壁上には、音響スイッチが設けられ、
前記音響スイッチは、導線を介して前記音響装置に接続され、
前記音響スイッチは、前記音響装置のオン及びオフを制御することを特徴とする前記（１）に記載の多機能音響キャビネット用照明装置。
【００２０】
（８）制御端末をさらに備え、
前記制御端末は、前記音響装置及び前記ランプ装置に信号接続されるとともに、前記ランプ装置の明るさ、オン・オフ及び前記音響装置のオン・オフ、音量の大きさを調整し、音声信号を切換えることを特徴とする前記（１）に記載の多機能音響キャビネット用照明装置。
【００２１】
（９）前記制御端末は携帯電話のアプリであることを特徴とする前記（８）に記載の多機能音響キャビネット用照明装置。
【考案の効果】
【００２２】
本考案の多機能音響キャビネット用照明装置は、キャビネット照明器具上に音響装置が配設され、生活上の面白み及びストレス解消を達成することができる上、上述した音響装置は２つ又は３つ以上の出音網板から音が出るため、高い出音効果が得られる。また、上述したランプ装置の熱量は、２つの出音網板から排出されるため、ランプ装置の放熱効果が高く、使用寿命が長く、実用的価値が高く、普及させる価値がある。
【図面の簡単な説明】
【００２３】
【図１】本考案の一実施形態に係る多機能音響キャビネット用照明装置を示す斜視図である。
【図２】図１のキャビネット用照明装置の別の角度からの斜視図である。
【図３】図１のキャビネット用照明装置を示す分解斜視図である。
【図４】図３のメインハウジングの構造を示す分解斜視図及び部分拡大図である。
【図５】図４のメインハウジングの別の角度からの斜視図である。
【考案を実施するための形態】
【００２４】
本考案の技術手段及びそれにより達成可能な効果を、より完全かつ明白に開示するために、開示した添付の図面及び符号と併せて本考案を以下に詳説する。
【００２５】
図１〜図５を参照する。図１〜図５に示すように、本考案の一実施形態に係る多機能音響キャビネット用照明装置は、外カバー１０、音響装置２０及びランプ装置３０を含む。上述した音響装置２０及びランプ装置３０は、外カバー１０内にそれぞれ取り付けられる。上述した外カバー１０は、メインハウジング１１と、メインハウジング１１上に取り付けられた頂蓋１２と、を含む。上述した頂蓋１２及びメインハウジング１１は、収容空間を取り囲んで形成する。上述した音響装置２０及びランプ装置３０は、収容空間内に取り付けられる。
【００２６】
上述したメインハウジング１１の外側面上には、複数の出音孔１１１が形成される。上述した出音孔１１１の外側には、出音網板１１２が設けられる。上述したメインハウジング１１の内側には、分離プレート１１３が配設される。上述した分離プレート１１３の底面は、出音孔１１１の内側縁に接続され、分離プレート１１３の頂面及び出音孔１１１の内側縁が間隔をおいて設置される。上述した分離プレート１１３の両側には、係止孔群１１４がそれぞれ設けられる。分離プレート１１３の底部には、長孔１１５が形成される。
【００２７】
上述した出音網板１１２の頂面上には、網板本体と、網板本体の両側に設置された係合片群１１６と、網板本体の上下両側に設置された取付けブロック１１７と、が設けられる。実際に組み立てる際、２つの上述した取付けブロック１１７が長孔１１５及び分離プレート１１３の頂面上にそれぞれ係合され、２つの係合片群１１６は、対応した係止孔群１１４内にそれぞれ係合される。また、上述したメインハウジング１１の底面の上述したランプ装置３０の位置には出光板１１８が配設される。ランプ装置３０の光は、出光板１１８を透過する。
【００２８】
上述したメインハウジング１１内には、ランプ槽１３、音響槽１４、給電槽１５及び取付け槽１６が配設される。上述した音響槽１４及びランプ槽１３の槽壁と、メインハウジング１１の内側面との間には、ガイド槽１７がさらに設けられる。上述したガイド槽１７は、出音網板１１２を介して外界と連通する。上述したランプ装置３０は、ランプ槽１３内に取り付けられる。ランプ装置３０は、ライト基板と、ライト基板の底面に取り付けられた複数の電球と、を含む。上述したライト基板は、ランプ槽１３内に配設され、締結具により固定し、ライト基板の頂面高さは、上述した分離プレート１１３の頂面と同じ高さとなるか、分離プレート１１３の頂面より低いため、出音網板１１２を透過するライト光が多くなりすぎることを防ぐ。
【００２９】
上述したランプ槽１３の側壁上には、ガイド槽１７と連通した複数の接続槽１８が形成される。上述した接続槽１８は、出音網板１１２に対応した以外の他の箇所に配設してもよい。ランプ装置３０が発生させた熱量は、ガイド槽１７を介して出音網板１１２から速やかに排出させることができるため、ライトの放熱効果を高めることができる。上述した音響装置２０は、音響槽１４内に取り付けられ、音響装置２０は、２つの出音網板１１２から出音させる。上述した音響槽１４の外側壁上には音響スイッチ１４１が設けられる。上述した音響スイッチ１４１は、導線を介して音響装置２０に接続される。音響スイッチ１４１は、音響装置２０のオン及びオフを制御する。
【００３０】
上述した給電槽１５内には、給電装置１５１が取り付けられる。本実施形態の給電装置１５１は、電気ソケットである。上述した頂蓋１２は、給電槽１５に対応した位置に対応した引出線槽１２１が設けられる。上述した取付け槽１６内にはコントローラが配設される。上述した給電装置１５１は、コントローラ及び音響装置２０に接続され、両者に電気を供給する。上述したコントローラは、導線を介して上述したランプ装置３０に接続され、コントローラは、ランプ装置３０のオン・オフ及び明るさを制御する。上述したランプ槽１３、取付け槽１６及び給電槽１５間の側壁上と、給電槽１５と音響槽１４との間には貫通槽１１９が配設され、上述した貫通槽１１９、接続槽１８及びガイド槽１７には、放熱経路が形成される。
【００３１】
また、上述した多機能音響キャビネット用照明装置は、制御端末をさらに含んでもよい。上述した制御端末は携帯電話のアプリであり、携帯電話のアプリは、上述したコントローラ１６１及び音響装置２０と信号接続される。使用者は必要に応じて携帯電話のアプリによりライトの明るさ及びオン・オフを調整することができる上、音響装置２０のオン・オフ、音量及び音声信号切換えを調整することもできる。上述した音響装置２０上には、Ｂｌｕｅｔｏｏｔｈ（登録商標）装置がさらに設けられる。上述した「Ｂｌｕｅｔｏｏｔｈ」装置は、携帯電話のアプリと信号接続され、携帯電話中の音声信号は「Ｂｌｕｅｔｏｏｔｈ」装置を介して音響装置２０へ送信し、再生する。
【００３２】
上述したことから分かるように、本考案の多機能音響キャビネット用照明装置は、キャビネット照明器具上に音響装置が配設され、生活上の面白み及びストレス解消を達成することができる上、上述した音響装置は２つ又は３つ以上の出音網板から音が出るため、高い出音効果が得られる。また、上述したランプ装置の熱量は、２つの出音網板から排出されるため、ランプ装置の放熱効果が高く、使用寿命が長く、実用的価値が高く、普及させる価値がある。
【００３３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１０  外カバー
１１  メインハウジング
１２  頂蓋
１３  ランプ槽
１４  音響槽
１５  給電槽
１６  取付け槽
１７  ガイド槽
１８  接続槽
２０  音響装置
３０  ランプ装置
１１１  出音孔
１１２  出音網板
１１３  分離プレート
１１４  係止孔群
１１５  長孔
１１６  係合片群
１１７  取付けブロック
１１８  出光板
１１９  貫通槽
１２１  引出線槽
１４１  音響スイッチ
１５１  給電装置
１６１  コントローラ
【図１】
0003226618.tif 000003
【図２】
0003226618.tif 000004
【図３】
0003226618.tif 000005
【図４】
0003226618.tif 000006
【図５】
0003226618.tif 000007
【手続補正書】
【提出日】令和2年3月18日(2020.3.18)
【手続補正１】
【補正対象書類名】実用新案登録請求の範囲
【補正対象項目名】全文
【補正方法】変更
【補正の内容】
【実用新案登録請求の範囲】
【請求項１】
外カバー、音響装置及びランプ装置を備えた、多機能音響キャビネット用照明装置であって、
前記音響装置及び前記ランプ装置は、前記外カバー内にそれぞれ取り付けられ、前記外カバーは、メインハウジングと、前記メインハウジング上に取り付けられた頂蓋と、を有し、前記頂蓋及び前記メインハウジングは、収容空間を取り囲んで形成し、前記音響装置及び前記ランプ装置は、前記収容空間内に取り付けられ、
前記メインハウジングの外側面上には、複数の出音孔が形成され、前記出音孔の外側には、出音網板が設けられ、前記出音孔の内側には、分離プレートが配設され、前記分離プレートと前記メインハウジングの内側面とにより取り囲んでガイド槽が形成され、前記ガイド槽は、前記出音網板を介して外界と連通し、
前記出音網板は、左右両側に係合片群が設けられ、上下両側に取付けブロックが設けられ、２つの前記係合片群及び下側の前記取付けブロックは、前記分離プレート内に係合され、上側の前記取付けブロックと前記分離プレートの上表面とは間隔をおいて設けられ、
前記ランプ装置の頂面高さは、前記分離プレートの頂面の高さと同じであるか、前記分離プレートの頂面より低いことを特徴とする、多機能音響キャビネット用照明装置。
【請求項２】
前記分離プレートの頂面及び前記出音孔の内側縁が間隔をおいて設置され、前記分離プレートの両側には、係止孔群がそれぞれ設けられ、前記分離プレートの底部には、長孔が形成され、
前記係合片群は、前記係止孔群内にそれぞれ係合され、前記出音網板の下側の前記取付けブロックは、前記長孔内に係合されることを特徴とする請求項１に記載の多機能音響キャビネット用照明装置。
【請求項３】
前記メインハウジングの底面の上述した前記ランプ装置に対応した位置には、出光板が配設され、
前記ランプ装置の光は、前記出光板を透過することを特徴とする請求項１に記載の多機能音響キャビネット用照明装置。
【請求項４】
前記メインハウジング内には、ランプ槽及び音響槽が形成され、
前記ランプ装置は、前記ランプ槽内に取り付けられ、
前記音響装置は、前記音響槽内に取り付けられ、前記ランプ槽と前記音響槽とは貫通槽を介して連通することを特徴とする請求項１に記載の多機能音響キャビネット用照明装置。
【請求項５】
前記ランプ装置は、ライト基板と、前記ライト基板の底面に取り付けられた複数の電球と、を有し、
前記ライト基板は、前記ランプ槽内に配設され、前記ライト基板の頂面高さは、前記分離プレートの頂面の高さと同じであるか、前記分離プレートの頂面より低いことを特徴とする請求項４に記載の多機能音響キャビネット用照明装置。
【請求項６】
ランプ槽の側壁上には、前記ガイド槽と連通した複数の接続槽が形成され、
前記接続槽は、前記出音網板に対応した以外の他の箇所に形成されることを特徴とする請求項１に記載の多機能音響キャビネット用照明装置。
【請求項７】
音響槽の外側壁上には、音響スイッチが設けられ、
前記音響スイッチは、導線を介して前記音響装置に接続され、
前記音響スイッチは、前記音響装置のオン及びオフを制御することを特徴とする請求項１に記載の多機能音響キャビネット用照明装置。
【請求項８】
制御端末をさらに備え、
前記制御端末は、前記音響装置及び前記ランプ装置に信号接続されるとともに、前記ランプ装置の明るさ、オン・オフ及び前記音響装置のオン・オフ、音量の大きさを調整し、音声信号を切換えることを特徴とする請求項１に記載の多機能音響キャビネット用照明装置。
【請求項９】
前記制御端末は携帯電話のアプリであることを特徴とする請求項８に記載の多機能音響キャビネット用照明装置
【手続補正２】
【補正対象書類名】明細書
【補正対象項目名】００１７
【補正方法】変更
【補正の内容】
【００１７】
（５）前記ランプ装置は、ライト基板と、前記ライト基板の底面に取り付けられた複数の電球と、を有し、
前記ライト基板は、前記ランプ槽内に配設され、前記ライト基板の頂面高さは、前記分離プレートの頂面の高さと同じであるか、前記分離プレートの頂面より低いことを特徴とする前記（４）に記載の多機能音響キャビネット用照明装置。